(57)【特許請求の範囲】
【請求項１】
所定数以下の他の通信端末装置とグループ通信を行うことが可能な通信端末装置であって、
前記所定数より多い他の通信端末装置と通信を行うとき、当該所定数より多い他の通信端末装置を複数のグループに分け、当該所定数より多い他の通信端末装置より位置情報を受信する制御部
を備えることを特徴とする通信端末装置。
【請求項２】
所定の位置情報である目的地を記憶する記憶部を備え、
前記制御部は、前記目的地の近い通信端末装置から順次グループ分けを行ってゆく
ことを特徴とする請求項１に記載の通信端末装置。
【請求項３】
前記制御部は、順番にグループ通信を行っている複数のグループの１つに参加している通信端末装置の数が前記所定数より少なくなったとき、他のグループに参加している通信端末装置に招待通知を行う
ことを特徴とする請求項１または２に記載の通信端末装置。
【請求項４】
表示部を備え、
前記制御部は、前記位置情報と目的地が併合された情報を地図として前記表示部に表示する
ことを特徴とする請求項１から３のいずれか１つに記載の通信端末装置。
【請求項５】
前記制御部は、前記複数の通信端末装置から受信した複数の位置情報に合わせて、前記表示部へ表示する地図の縮尺を変更する
ことを特徴とする請求項４に記載の通信端末装置。
【請求項６】
前記制御部は、１つのグループとグループ通信を所定時間以上行うと、前記表示部に他のグループとグループ通信をすることを促す表示を行う
ことを特徴とする請求項１から５のいずれか１つに記載の通信端末装置。
【請求項７】
前記通信端末装置は操作部を備え、
前記制御部は、前記操作部から目的地の入力を受け付ける
ことを特徴とする請求項１から６のいずれか１つに記載の通信端末装置。
【請求項８】
所定数以下の他の通信端末装置とグループ通信を行うことが可能な通信端末装置であって、
表示部と、
前記グループ通信の招待を受信した際に当該グループ通信の招待を承諾したとき、承諾通知および／または当該通信端末装置の位置情報を送信させる制御部と、
を備え、
前記制御部は、当該通信端末装置の位置と目的地との距離が所定の値以下になったとき、前記表示部にグループ通信を離脱するか否かを問う表示を行わせる
ことを特徴とする通信端末装置。
【請求項９】
前記制御部は、グループ通信に参加している通信端末装置の位置情報及び／または目的地を受信する
ことを特徴とする請求項８に記載の通信端末装置。
【請求項１０】
所定数以下の他の通信端末装置とグループ通信を行うことが可能な通信端末装置の制御方法であって、
前記所定数より多い他の通信端末装置と通信を行うとき、当該所定数より多い他の通信端末装置を複数のグループに分け、当該所定数より多い他の通信端末装置より位置情報を受信する
ことを特徴とする制御方法。
【請求項１１】
所定数以下の他の通信端末装置とグループ通信を行うことが可能な通信端末装置の制御方法であって、
前記グループ通信の招待を受信した際に当該グループ通信の招待を承諾したとき、承諾通知および／または当該通信端末装置の位置情報を送信させ、
当該通信端末装置の位置と目的地との距離が所定の値以下になったとき、グループ通信を離脱するか否かを問う表示を行わせる
ことを特徴とする制御方法。
【発明の詳細な説明】
【技術分野】
【０００１】
本発明は、ＧＰＳ（Ｇｌｏｂａｌ  Ｐｏｓｉｔｉｏｎｉｎｇ  Ｓｙｓｔｅｍ）などの自身の位置情報を計測及び双方向通信可能で、かつインターネットを経由して多数の通信端末装置と通信が可能な通信端末装置に関する。
【背景技術】
【０００２】
近年、携帯電話機等の通信端末装置による通信の態様が多様化しており、回線交換による従来の音声通話に加え、インターネットを利用したパケット通信など新たな態様の通信が行われている。例えば、通信端末装置間でリアルタイムに文字をやり取りすることで会話を行う「チャットメール」がある（特許文献１参照）。チャットメールは、予め登録しておいたメンバ間でグループを形成し、このグループ内でリアルタイムに文字などのデータの通信を行う「グループ通信」と呼ばれる通信態様の１つである。
【０００３】
また、昨今注目を集めているグループ通信の１つに、ＰＴＴ（Ｐｕｓｈ  Ｔｏ  Ｔａｌｋ）やＰｏＣ（Ｐｕｓｈ  ｔｏ  ｔａｌｋ  Ｏｖｅｒ  Ｃｅｌｌｕｌａｒ）と呼ばれるものがある。ＰＴＴでは、グループを形成する複数の通信端末装置同士がＶｏＩＰ（Ｖｏｉｃｅ  ｏｖｅｒ  Ｉｎｔｅｒｎｅｔ  Ｐｒｏｔｏｃｏｌ）によるリアルタイムの音声通話を行う。送信側の１つの通信端末装置から受信側の複数の通信端末装置へ一斉に共通の音声データを送信することにより、１対多の音声通話が可能となる。
【０００４】
他方、最近の携帯電話機には、ＧＰＳ（Ｇｌｏｂａｌ  Ｐｏｓｉｔｉｏｎｉｎｇ  Ｓｙｓｔｅｍ）を利用して自身の地理的位置に関する情報を取得し、これを地図上に表示する機能（以下、ＧＰＳ機能と呼ぶ）を備えたものが登場している。このＧＰＳ機能を使えば、現在自分がどこにいるのかを地図によって正確に把握できるため、今まで行ったとことのない場所でも道に迷うことなく到達できる。
【０００５】
従って、前述した「グループ通信」と「ＧＰＳ機能」の両方を用いることによって、グループ通信を行っているもの同士での位置情報のリアルタイムでの共有が可能となる。従って、前記「グループ通信」「ＧＰＳ機能」の両方を備えた通信端末装置を所持したもの同士であれば、両機能を組み合わせることによって、待ち合わせなどに用いることが可能である。
【特許文献１】特開２００３−１７４５２０号公報
【発明の開示】
【発明が解決しようとする課題】
【０００６】
しかしながら、グループ通信を一度に行える通信端末装置の数には、通信サーバの処理能力や仕様によって制限がある。従って、グループ通信を一度に行える通信端末装置の数（特許請求の範囲における「所定数」）より多い端末間では、位置情報の共有が出来ないという問題があった。
【０００７】
本発明はかかる事情に鑑みてなされたものである。その目的は、一度にグループ通信を行うことが出来る通信端末装置の数（所定数）よりも多い通信端末装置間で、位置情報の共有が可能な通信端末装置を提供することにある。
【課題を解決するための手段】
【０００８】
本発明による通信端末装置は、所定数以下の他の通信端末装置とグループ通信を行うことが可能な通信端末装置であって、前記所定数より多い他の通信端末装置と通信を行うとき、当該所定数より多い他の通信端末装置を複数のグループに分け、当該所定数より多い他の通信端末装置より位置情報を受信する制御部を備えることを特徴とする。
【０００９】
さらに好適には本発明による通信端末装置は、前記制御部は、順番にグループ通信を行っている複数のグループの１つに参加している通信端末装置の数が前記所定数より少なくなったとき、他のグループに参加している通信端末装置に招待通知を行うことを特徴とする。
【００１０】
さらに好適には本発明による通信端末装置は、外部へ情報を表示する表示部を備え、前記制御部は、前記位置情報と目的地が併合された情報を地図として前記表示部に表示することを特徴とする。
【００１１】
さらに好適には本発明による通信端末装置は、前記複数の通信端末装置から受信した複数の位置情報に合わせて、前記表示部へ表示する地図の縮尺を変更することを特徴とする。
【００１２】
さらに好適には本発明による通信端末装置は、前記制御部は、１つのグループとグループ通信を所定時間以上行うと、前記表示部に他のグループとグループ通信をすることを促す表示を行うことを特徴とする。
【００１３】
さらに好適には本発明による通信端末装置は、前記通信端末装置は操作部を備え、前記制御部は、前記操作部から目的地の入力を受け付けることを特徴とする。
【００１４】
本発明による第２の観点による通信端末装置は、所定数以下の他の通信端末装置とグループ通信を行うことが可能な通信端末装置であって、表示部と、前記グループ通信の招待を受信した際に当該グループ通信の招待を承諾したとき、承諾通知および／または当該通信端末装置の位置情報を送信させる制御部と、を備え、前記制御部は、当該通信端末装置の位置と目的地との距離が所定の値以下になったとき、前記表示部にグループ通信を離脱するか否かを問う表示を行わせることを特徴とする。
【００１５】
さらに好適には本発明による通信端末装置は、前記制御部は、グループ通信に参加している通信端末装置の位置情報及び／または目的地を受信することを特徴とする。
【００１６】
本発明による第３の観点による制御方法は、所定数以下の他の通信端末装置とグループ通信を行うことが可能な通信端末装置の制御方法であって、前記所定数より多い他の通信端末装置と通信を行うとき、当該所定数より多い他の通信端末装置を複数のグループに分け、当該所定数より多い他の通信端末装置より位置情報を受信することを特徴とする。
本発明による第４の観点による制御方法は、所定数以下の他の通信端末装置とグループ通信を行うことが可能な通信端末装置の制御方法であって、前記グループ通信の招待を受信した際に当該グループ通信の招待を承諾したとき、承諾通知および／または当該通信端末装置の位置情報を送信させ、当該通信端末装置の位置と目的地との距離が所定の値以下になったとき、グループ通信を離脱するか否かを問う表示を行わせることを特徴とする。
【発明の効果】
【００１７】
本発明の目的は、一度にグループ通信を行うことが出来る通信端末装置の数（所定数）よりも多い通信端末装置間で、位置情報の共有が可能な通信端末装置を提供することにある。
【発明を実施するための最良の形態】
【００１８】
図１は本発明に係る通信端末装置の実施形態における通信システムの構成の一例を示す図である。  
本実施形態に係る通信端末装置に使用される通信システムは、例えば図１に示すように、通信端末装置１００‐１〜１００‐４と、通信サーバ２００とを有する。
【００１９】
通信端末装置１００‐ｉ（ｉは１から４までの整数を示す）は、例えば携帯電話機等の無線通信端末装置である。通信端末装置１００‐ｉは、基地局（３００‐１，３００‐２，３００‐３）を経由してインターネット３００に接続される。また、通信端末装置１００‐ｉは、インターネット３００に接続される通信サーバ２００の制御に従ってデータ通信を行う。本実施形態では、一例としてＰＴＴ（ｐｕｓｈ  ｔｏ  ｔａｌｋ）によるグループ通信（以下、グループ通信と呼ぶことがある）を行うものとする。グループ通信において伝送されるデータには、通話音声の他、画像データ、文字データ、楽曲などのデータが含まれる。
【００２０】
通信端末装置１００‐ｉは、グループ通信を行う場合、グループ通信を開始し複数台の通信端末装置１００‐ｉのうち代表する一台が主催者の装置（以下、主催者端末装置と呼ぶことがある）になり、他の端末装置はグループ通信の開始通知を受けてグループ通信に参加する装置（以下、参加者端末装置と呼ぶことがある）になる。通信端末装置１００‐ｉが主催者端末装置となるときも、参加者端末装置となるときも通信サーバ２００を経由して、グループ通信に参加している他の通信端末装置と双方向通信を行う。
【００２１】
また、本実施形態において用いられる通信端末装置１００‐ｉは、位置通知装置４００から電波を受信することによって、自身の緯度・経度・高度の情報を認識することが出来る。
【００２２】
図２は、通信端末装置１００‐ｉの主要な構成部をブロック図で表したものである。
【００２３】
通信部１０２は、制御部１１０の制御によって、例えば音声通信を行う。また、その他にインターネット通信を行う際にも、基地局３００‐ｉと双方向通信を行うことによって、データの送受信を行う。  
また、通信部１０２は、制御部１１０から伝達されるデータを無線通信用の形式へ変換する。また逆に、通信部１０２は、受信した無線通信用の形式のデータを復号して制御部１１０へ伝達させることも行う。
【００２４】
ＧＰＳ受信部１０９は、特許請求の範囲において通信部と記載された構成のことである。ＧＰＳ受信部１０９は、位置通知装置４００より位置情報を受信する。ＧＰＳ受信部１０９によって受信された位置情報は、制御部１１０に伝達されて各種処理がなされる。
【００２５】
操作部１０３は、主に押下されることによって信号を発生し、当該信号を制御部１１０へ伝達させる多数のキーによって構成されている。キーには数種類あり、例えば電話番号を入力する為に、０から９までの一桁の数字が記載されたテンキーがある。当該テンキーは、文字入力を行う際にも用いられる。また、表示部１０７に表示される表示項目を選択する為の選択キーも備えている。当該選択キーは、上下左右それぞれの方向を示す４つのキーから構成されている。さらに、当該選択キーによって選択された項目に該当する内容を制御部１１０に実行させる指示信号を発生させる決定キーも備えている。その他に、当該通信端末装置１００‐ｉが二つ折りタイプの形態をしていたとき、閉状態（二つおり携帯電話の場合、ユーザによって携帯電話が持ち運ばれる際などにヒンジ部を軸にして折られる状態）においても外部から操作できるように、サイドキーも具備されている場合がある。
【００２６】
音声処理部１０４は、制御部１１０より伝達された信号をスピーカ１０５用の音声信号へと変換する機能をもつ。また、マイク１０６から入力された音声信号を制御部１１０が解することが出来るように変換する機能ももつ。
【００２７】
スピーカ１０５は、通信端末装置１００‐ｉの外面に備えられている。そして、音声処理部１０４から伝達された音声信号を音へと変換する機能をもつ。
【００２８】
マイク１０６は、スピーカ１０５とは逆の機能をもつ。最初、通信端末装置１００‐ｉの外部で生じた音を取得して音声信号へと変換する。次に、当該変換した音声信号を音声処理部１０４へ伝達させる機能をもつ。
【００２９】
表示部１０７は、通信端末装置１００‐ｉを用いるユーザが視覚できる情報を提供する情報提供手段である。例えば、表示部１０７はＬＥＤ（Ｌｉｇｈｔ  Ｅｍｉｔｔｉｎｇ  Ｄｉｏｄｅ）ディスプレイで作製される。また、有機ＥＬ（Ｅｌｅｃｔｒｏ−Ｌｕｍｉｎｅｓｃｅｎｃｅ）で作製されることもある。また、液晶を用いた画像表示装置が用いられることもある。
【００３０】
記憶部１０８は、制御部１１０において処理に利用される各種のデータを記憶する。例えば、制御部１１０に備わるコンピュータのプログラム、通信相手の電話番号や電子メールアドレス等の個人情報を管理するアドレス帳、着信音やアラーム音を再生するための音声ファイル、各種の設定データ、プログラムの処理過程で利用される一時的なデータなどを保持する。  
記憶部１０８は、例えば不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００３１】
制御部１１０は、通信端末装置１００‐ｉの全体的な動作を統括的に制御する。すなわち、通信端末装置１００‐ｉの各種の処理（回線交換網を介して行われる音声通話、ＰＴＴのグループ通信、電子メールの作成と送受信、インターネットのＷｅｂサイトの閲覧など）が操作部１０３の操作に応じて適切な手順で実行されるように、上述した各ユニットの動作（通信部１０２における信号の送受信、音声処理部１０４における音声の入出力、表示部１０７における画像の表示など）を制御する。
【００３２】
例えば制御部１１０は、記憶部１０８に格納されるプログラム（オペレーティングシステム、アプリケーション等）に基づいて処理を実行するコンピュータを備えており、このプログラムにおいて指示される手順に従って上述した処理を実行する。
【００３３】
図３は、本実施形態におけるグループ通信の流れを示したシーケンス図である。本実施形態においては、主催者端末を通信端末装置１００‐１とする（通信端末装置１００‐１の所有者名はＸとする。）。また、通信端末装置１００‐１より招待通知を受けて、グループ通信に参加する参加者端末を通信端末装置１００‐２（所有者名Ａ）・通信端末装置１００‐３（所有者名Ｂ）・通信端末装置１００‐４（所有者名Ｃ）・通信端末装置１００‐５（所有者名Ｄ）・通信端末装置１００‐６（所有者名Ｅ）・通信端末装置１００‐７（所有者名Ｆ）とする。また、グループ通信に一度に参加できる最大人数（特許請求の範囲における「所定数」）を４人とする。  
また、以下の記述において、通信端末装置１００‐１の表示部は表示部１０７‐１、通信端末装置１００‐３の通信部は通信部１０２‐３・・・といった具合に、符号の末尾にどの通信端末装置の構成かを示す符号を付して表現することとする。
【００３４】
＜ステップＳ３０１＞  
通信端末装置１００‐１の制御部１１０‐１は、グループ通信を開始する際に表示部１０７‐１にグループ通信を行う候補者の名前または通信端末装置名を表示する。ユーザがグループ通信を行いたい相手の通信端末装置の数が４つ以上の場合（主催者端末も含めて「所定数」を超える場合）、制御部１１０‐１は、操作部１０３‐１の選択キー・決定キーからの入力を受け付けてグループ通信を始める３つの通信端末装置を選択する。操作部１０３‐１からグループ通信を始める３つの通信端末装置の選択を受け付けると、制御部１１０‐１は、当該３つの選択された通信端末装置名と、グループ通信の招待通知を当該３つの通信端末装置に送るか否かを問う表示を表示部１０７‐１に表示する。このときの表示部１０７‐１の様子を示したものが、図４（ａ）である。このとき制御部１１０‐１は、表示部１０７‐１に、グループ通信を行うか否かをユーザへ選択させる「はい」「いいえ」という選択肢を表示する。操作部１０３‐１より「はい」の入力を受け付けると、制御部１１０‐１は、次の段階（ステップＳ３０２）の処理を開始する。
【００３５】
＜ステップＳ３０２＞  
グループ通信の招待通知を通信端末装置１００‐２・通信端末装置１００‐３・通信端末装置１００‐４に送信することが操作部１０３‐１の入力によって選択されると、制御部１１０‐１は、通信端末装置１００‐１の位置情報を位置通知装置４００からの通知によって取得する。この取得された位置情報は記憶部１０８‐１に記憶される。そして、制御部１１０‐１は、ＳＭＳ（Ｓｈｏｒｔ  Ｍｅｓｓａｇｅ  Ｓｅｒｖｉｃｅ）を利用して、通信端末装置１００‐２、通信端末装置１００‐３、通信端末装置１００‐４に招待通知（お誘いＳＭＳ）を送信する。
【００３６】
＜ステップＳ３０３＞  
通信端末装置１００‐２・通信端末装置１００‐３・通信端末装置１００‐４がお誘いＳＭＳを受信すると、それぞれの制御部である制御部１１０‐２・制御部１１０‐３・制御部１１０‐４は、制御部１１０‐１からお誘いがあったことを知らせる表示を表示部１０７‐２・表示部１０７‐３・表示部１０７‐４に表示させる。図４（ｂ）は、このときの表示部１０７‐２・表示部１０７‐３・表示部１０７‐４の様子を示したものである。  
制御部１１０‐２・制御部１１０‐３・制御部１１０‐４は、それぞれの表示部である表示部１０７‐２・表示部１０７‐３・表示部１０７‐４にグループ通信の招待を承諾するか否かの文章と、「はい」「いいえ」の選択肢を表示させる。  
このとき、制御部１１０‐２・制御部１１０‐３・制御部１１０‐４は、それぞれの操作部である操作部１０３‐２・操作部１０３‐３・操作部１０３‐４に備えられた選択キー・決定キーから、それぞれの表示部である表示部１０７‐２・表示部１０７‐３・表示部１０７‐４に表示された「はい」「いいえ」の選択・決定を受け付ける。
【００３７】
＜ステップＳ３０４＞  
ステップＳ３０３において「はい」の入力を受け付けたとき、制御部１１０‐２・制御部１１０‐３・制御部１１０‐４は、位置通知装置４００から自身の端末の位置情報をそれぞれのＧＰＳ受信部１０９‐２・ＧＰＳ受信部１０９‐３・ＧＰＳ受信部１０９‐４を経由して取得する。なお、先ほどから本実施形態において使用している単語である「位置情報」とは、例えば、当該通信端末装置の「緯度・経度・高度」の３種類の数値情報のことである。
【００３８】
＜ステップＳ３０５＞  
ステップＳ３０４において、通信端末装置１００‐２・通信端末装置１００‐３・通信端末装置１００‐４の位置情報を取得すると、制御部１１０‐２・制御部１１０‐３・制御部１１０‐４は、グループ通信への参加の承諾通知を送信すると同時に、前記位置情報を送信するか否かを問い合わせる内容と「はい」「いいえ」の選択肢の表示を表示部１０７‐２・表示部１０７‐３・表示部１０７‐４にさせる。このときの通信端末装置１００‐２・通信端末装置１００‐３・通信端末装置１００‐４の様子を図４（ｃ）に示す。このとき、操作部１０３‐２・操作部１０３‐３・操作部１０３‐４に備えられた選択キー・決定キーからの入力によって「はい」の入力を受け付けたとき、制御部１１０‐２・制御部１１０‐３・制御部１１０‐４は、グループ通信の招待を承諾した承諾通知（グループ通信参加の応答）と、それぞれの位置情報をＳＭＳで通信端末装置１００‐１へ送信する。
【００３９】
＜ステップＳ３０６・ステップＳ３０７＞
通信端末装置１００‐２・通信端末装置１００‐３・通信端末装置１００‐４から送信されてきた承諾通知と位置情報を通信端末装置１００‐１が受信したとき、制御部１１０
‐１は、通信端末装置１００‐１・通信端末装置１００‐２・通信端末装置１００‐３・通信端末装置１００‐４の位置情報をひとつのデータに併合する。そして同時に、制御部１１０‐１は、グループ通信を通信端末装置１００‐２・通信端末装置１００‐３・通信端末装置１００‐４と開始する。以後、通信端末装置１００‐１・通信端末装置１００‐２・通信端末装置１００‐３・通信端末装置１００‐４の４者で行うグループ通信のグループを「グループ１」と記載する。
【００４０】
＜ステップＳ３０８＞  
ステップＳ３０７において開始された通信端末装置１００‐１・通信端末装置１００‐２・通信端末装置１００‐３・通信端末装置１００‐４の４者によるグループ１においてグループ通信が行われているときに、操作部１０３‐１から位置情報を通信端末装置１００‐２・通信端末装置１００‐３・通信端末装置１００‐４に送る入力を受け付けると、制御部１１０‐１は、ステップＳ３０６において併合した位置情報を通信端末装置１００‐２・通信端末装置１００‐３・通信端末装置１００‐４に通信部１０２‐１に送信させる。このとき、当該併合された位置情報は、通信サーバ２００を経由して、通信端末装置１００‐２・通信端末装置１００‐３・通信端末装置１００‐４に送信される。そして、制御部１１０‐１は、併合した位置情報を送信すると同時に表示部１０７‐１に地図の形式で併合された位置情報を表示させる。また、併合された位置情報を受信した通信端末装置１００‐２・通信端末装置１００‐３・通信端末装置１００‐４の制御部１１０‐２・制御部１１０‐３・制御部１１０‐４は、それぞれの表示部である表示部１０７‐２・表示部１０７‐３・表示部１０７‐４に併合された位置情報を地図の形式で表示させる。このときの通信端末装置１００‐１・通信端末装置１００‐２・通信端末装置１００‐３・通信端末装置１００‐４の様子を図４（ｄ）に示す。このとき、それぞれの通信端末装置１００の制御部１１０は、グループ１に参加している通信端末装置１００のユーザ名と当該通信端末装置の位置を、地図に点を描くことによって表示部１０７に表示させる。
【００４１】
＜ステップＳ３０９・Ｓ３１０＞  
ステップＳ３０７において、グループ１によるグループ通信が開始されてから所定時間が経過すると、制御部１１０‐１は、グループ１とのグループ通信を終了して他の通信端末装置１００とグループ通信を行うことを促す表示を表示部１０７‐１にさせる。このとき、この所定時間は、工場出荷時に予め決められた時間がセットされていてもよいし、表示部１０７‐１からの入力によって記憶部１０８‐１に記憶されるようにしてもよい。このときの通信端末装置１００‐１の様子を図４（ｅ）に示す。このとき、制御部１１０‐１は、新しくグループ通信をはじめるか否かの選択画面を表示部１０７‐１に表示する。また制御部１１０‐１は、新しくグループ通信をはじめる通信端末装置１００のユーザ名も同時に表示部１０７‐１に表示させる。また、制御部１１０‐１は、新しいグループ通信を始めるか否かの選択肢である「はい」「いいえ」も表示部１０７‐１に表示させる。このとき操作部１０３‐１より「はい」の入力を受け付けると、制御部１１０‐１は、グループ１によるグループ通信を終了させる（ステップＳ３１０）。
【００４２】
＜ステップＳ５０１＞  
図５は、グループ１においてグループ通信が終了した後の通信端末装置間の情報の送受信を示すシーケンス図である。  
グループ１においてグループ通信を終了した後、制御部１１０‐１は再びＧＰＳ受信部１０９‐１から自身の位置情報を取得する。そして、制御部１１０‐１は、記憶部１０８‐１に記憶されていた通信端末装置１００‐１の位置情報を更新する。そして同時に制御部１１０‐１は、通信部１０２‐１を経由して、参加者Ｄ・参加者Ｅ・参加者Ｆが所有する通信端末装置１００‐５・通信端末装置１００‐６・通信端末装置１００‐７にＳＭＳでグループ通信への招待通知（お誘いＳＭＳ）を送信する。
【００４３】
＜ステップＳ５０２＞  
通信端末装置１００‐１より招待通知を受信した通信端末装置１００‐５・通信端末装置１００‐６・通信端末装置１００‐７のそれぞれの制御部である制御部１１０‐５・制御部１１０‐６・制御部１１０‐７は、それぞれの表示部である表示部１０７‐５・表示部１０７‐６・表示部１０７‐７にグループ通信の招待通知を受信したことを表示する。図６（ａ）は、そのときの通信端末装置１００‐５・通信端末装置１００‐６・通信端末装置１００‐７の様子を示した図である。同時に、制御部１１０‐５・制御部１１０‐６・制御部１１０‐７は、グループ通信に参加するか否かを選択する選択肢「はい」「いいえ」も表示部１０７‐５・表示部１０７‐６・表示部１０７‐７に表示させる。
【００４４】
＜ステップＳ５０３＞  
操作部１０３‐５・操作部１０３‐６・操作部１０３‐７よりグループ通信に参加する入力である「はい」の選択を受け付けると、制御部１１０‐５・制御部１１０‐６・制御部１１０‐７は、それぞれの通信端末装置に備えられたＧＰＳ受信部１０９‐５・ＧＰＳ受信部１０９‐６・ＧＰＳ受信部１０９‐７から自身の位置情報を受信する。そして、制御部１１０‐５・制御部１１０‐６・制御部１１０‐７は、受信した自身の位置情報をそれぞれの記憶部である記憶部１０８‐５・記憶部１０８‐６・記憶部１０８‐７へ記憶させる。
【００４５】
＜ステップＳ５０４＞  
ステップＳ５０３において、自身の端末の位置情報を記憶部１０８‐５・記憶部１０８‐６・記憶部１０８‐７に記憶させた後、制御部１１０‐５・制御部１１０‐６・制御部１１０‐７は、当該位置情報を、招待通知を送信してきた通信端末装置１００‐１に送信してよいか否かを問い合わせる表示を、表示部１０７‐５・表示部１０７‐６・表示部１０７‐７に表示させる。同時に、当該問い合わせに答えるための選択肢「はい」「いいえ」も、制御部１１０‐５・制御部１１０‐６・制御部１１０‐７は、表示部１０７‐５・表示部１０７‐６・表示部１０７‐７に表示させる。図６（ｂ）は、ステップＳ５０４における通信端末装置１００‐５・通信端末装置１００‐６・通信端末装置１００‐７の様子を示したものである。そして、操作部１０３‐５・操作部１０３‐６・操作部１０３‐７より「はい」を選択・決定する入力を受け付けると、制御部１１０‐５・制御部１１０‐６・制御部１１０‐７は、それぞれの端末の位置情報と、グループ通信参加の承諾の通知をＳＭＳで通信端末装置１００‐１に送信する。
【００４６】
＜ステップＳ５０５・Ｓ５０６＞  
ステップＳ５０４においてグループ通信参加の承諾の通知と位置情報を、通信端末装置１００‐５・通信端末装置１００‐６・通信端末装置１００‐７より受信すると、制御部１１０‐１は、グループ１に参加していた通信端末装置１００‐２・通信端末装置１００‐３・通信端末装置１００‐４の位置情報と、ステップＳ５０１において更新された通信端末装置１００‐１の位置情報と、ステップＳ５０４において受信した位置情報を併合する。そして、制御部１１０‐１は、当該併合された位置情報を記憶部１０８‐１に記憶する。そして、通信端末装置１００‐１が主催者端末となって、通信端末装置１００‐１・通信端末装置１００‐５・通信端末装置１００‐６・通信端末装置１００‐７の４者でグループ通信が開始される（ステップＳ５０６）。以下、当該４者によるグループ通信のグループを「グループ２」と記載する。
【００４７】
＜ステップＳ５０７＞  
ステップＳ５０６において開始された通信端末装置１００‐１・通信端末装置１００‐５・通信端末装置１００‐６・通信端末装置１００‐７の４者によるグループ２においてグループ通信が行われているときに、操作部１０３‐１から位置情報を通信端末装置１００‐５・通信端末装置１００‐６・通信端末装置１００‐７に送る入力を受け付けると、制御部１１０‐１は、通信端末装置１００‐５・通信端末装置１００‐６・通信端末装置１００‐７にステップＳ５０５において併合した位置情報を、通信部１０２‐１に送信させる。このとき、当該併合された位置情報は、通信サーバ２００を経由して、通信端末装置１００‐５・通信端末装置１００‐６・通信端末装置１００‐７に送信される。そして、制御部１１０‐１は、併合した位置情報を送信すると同時に表示部１０７‐１に地図の形式で併合された位置情報を表示させる。また、併合された位置情報を受信した通信端末装置１００‐５・通信端末装置１００‐６・通信端末装置１００‐７の制御部１１０‐５・制御部１１０‐６・制御部１１０‐７は、それぞれの表示部である表示部１０７‐５・表示部１０７‐６・表示部１０７‐７に併合された位置情報を地図の形式で表示させる。このときの通信端末装置１００‐１・通信端末装置１００‐５・通信端末装置１００‐６・通信端末装置１００‐７の様子を図６（ｃ）に示す。このとき、それぞれの通信端末装置１００の制御部１１０は、グループ２に参加している通信端末装置１００のユーザ名と当該通信端末装置の位置を、地図に点を描くことによって表示部１０７に表示させる。
【００４８】
＜ステップＳ５０８＞  
制御部１１０‐１は、通信端末装置１００‐２〜通信端末装置１００‐７の位置情報を併合した結果から、どの通信端末装置１００が目的地に近いかを計算する。本実施形態においては、図６（ｃ）に示すとおり、ユーザＡ（通信端末装置１００‐２）・ユーザＢ（通信端末装置１００‐３）・ユーザＦ（通信端末装置１００‐７）が他の通信端末装置１００（主催者端末通信端末装置１００‐１を除く）より近いこととする。この結果より、制御部１１０‐１は、新たに目的地に近い通信端末装置同士でグループを組む準備をする。
【００４９】
＜ステップＳ５０９・Ｓ５１０＞  
ステップＳ５０６において、グループ２によるグループ通信が開始されてから所定時間が経過すると、制御部１１０‐１は、グループ２とのグループ通信を終了して、ステップＳ５０８において決定した「新グループ１」（通信端末装置１００‐１・通信端末装置１００‐２・通信端末装置１００‐３・通信端末装置１００‐７）とグループ通信を行うことを促す表示を表示部１０７‐１にさせる。このとき、この所定時間は、工場出荷時に予め決められた時間がセットされていてもよいし、表示部１０７‐１からの入力によって記憶部１０８‐１に記憶されるようにしてもよい。このときの通信端末装置１００‐１の様子を図６（ｄ）に示す。このとき、制御部１１０‐１は、新しくグループ通信をはじめるか否かの選択画面を表示部１０７‐１に表示する。また制御部１１０‐１は、新しくグループ通信をはじめる通信端末装置１００のユーザ名も同時に表示部１０７‐１に表示させる。また、制御部１１０‐１は、新しいグループ通信を始めるか否かの選択肢である「はい」「いいえ」も表示部１０７‐１に表示させる。このとき操作部１０３‐１より「はい」の入力を受け付けると、制御部１１０‐１は、グループ２によるグループ通信を終了させる（ステップＳ５１０）。
【００５０】
＜ステップＳ７０１＞  
図７は、図５のシーケンス図の続きを示したものである。ステップＳ５１０において、グループ２におけるグループ通信を制御部１１０‐１が終了させた後、制御部１１０‐１は再び通信端末装置１００‐１の位置情報を更新する。そして、今までと同様に、制御部１１０‐１は記憶部１０８‐１に位置情報を記憶させる。  
そして操作部１０３‐１から前述した「新グループ１」におけるグループ通信を始める３つの通信端末装置（通信端末装置１００‐２・通信端末装置１００‐３・通信端末装置１００‐７）へ、制御部１１０‐１は、グループ通信の招待通知をＳＭＳで送信する。
【００５１】
＜ステップＳ７０２＞  
通信端末装置１００‐２・通信端末装置１００‐３・通信端末装置１００‐７がお誘いＳＭＳを受信すると、それぞれの制御部である制御部１１０‐２・制御部１１０‐３・制御部１１０‐７は、制御部１１０‐１からお誘いがあったことを知らせる表示を表示部１０７‐２・表示部１０７‐３・表示部１０７‐７に表示させる。図８（ａ）は、このときの表示部１０７‐２・表示部１０７‐３・表示部１０７‐７の様子を示したものである。  
制御部１１０‐２・制御部１１０‐３・制御部１１０‐７は、それぞれの表示部である表示部１０７‐２・表示部１０７‐３・表示部１０７‐７にグループ通信の招待を承諾するか否かの文章と、「はい」「いいえ」の選択肢を表示させる。  
このとき、制御部１１０‐２・制御部１１０‐３・制御部１１０‐７は、それぞれの操作部である操作部１０３‐２・操作部１０３‐３・操作部１０３‐７に備えられた選択キー・決定キーから、それぞれの表示部である表示部１０７‐２・表示部１０７‐３・表示部１０７‐７に表示された「はい」「いいえ」の選択・決定を受け付ける。
【００５２】
＜ステップＳ７０３＞  
ステップＳ７０２において「はい」の入力を受け付けたとき、制御部１１０‐２・制御部１１０‐３・制御部１１０‐７は、位置通知装置４００から自身の端末の位置情報をそれぞれのＧＰＳ受信部１０９‐２・ＧＰＳ受信部１０９‐３・ＧＰＳ受信部１０９‐７を経由して取得する。
【００５３】
＜ステップＳ７０４＞  
ステップＳ７０４において、通信端末装置１００‐２・通信端末装置１００‐３・通信端末装置１００‐７の位置情報を取得すると、制御部１１０‐２・制御部１１０‐３・制御部１１０‐７は、グループ通信への参加の承諾通知を送信すると同時に、前記位置情報を送信するか否かを問い合わせる内容と「はい」「いいえ」の選択肢の表示を表示部１０７‐２・表示部１０７‐３・表示部１０７‐７にさせる。このときの通信端末装置１００‐２・通信端末装置１００‐３・通信端末装置１００‐７の様子を図８（ｂ）に示す。このとき、操作部１０３‐２・操作部１０３‐３・操作部１０３‐７に備えられた選択キー・決定キーからの入力によって「はい」の入力を受け付けたとき、制御部１１０‐２・制御部１１０‐３・制御部１１０‐７は、グループ通信の招待を承諾した承諾通知（グループ通信参加の応答）と、それぞれの位置情報をＳＭＳで通信端末装置１００‐１へ送信する。
【００５４】
＜ステップＳ７０５・Ｓ７０６＞  
通信端末装置１００‐２・通信端末装置１００‐３・通信端末装置１００‐７から送信されてきた承諾通知と位置情報を通信端末装置１００‐１が受信したとき、制御部１１０‐１は、通信端末装置１００‐１・通信端末装置１００‐２・通信端末装置１００‐３・通信端末装置１００‐７の位置情報をひとつのデータに併合する。そして同時に、制御部１１０‐１は、グループ通信を通信端末装置１００‐２・通信端末装置１００‐３・通信端末装置１００‐７と開始する。以後、通信端末装置１００‐１・通信端末装置１００‐２・通信端末装置１００‐３・通信端末装置１００‐７の４者で行うグループ通信のグループを「新グループ１」と記載する。
【００５５】
＜ステップＳ７０７＞  
ステップＳ７０６において開始された通信端末装置１００‐１・通信端末装置１００‐２・通信端末装置１００‐３・通信端末装置１００‐７の４者による新グループ１においてグループ通信が行われているときに、操作部１０３‐１から位置情報を通信端末装置１００‐２・通信端末装置１００‐３・通信端末装置１００‐７に送る入力を受け付けると、制御部１１０‐１は、ステップＳ７０５において併合した位置情報を通信端末装置１００‐２・通信端末装置１００‐３・通信端末装置１００‐７に送信する。このとき、当該併合された位置情報は、通信サーバ２００を経由して、通信端末装置１００‐２・通信端末装置１００‐３・通信端末装置１００‐７に送信される。そして、制御部１１０‐１は、併合した位置情報を送信すると同時に表示部１０７‐１に地図の形式で併合された位置情報を表示させる。また、併合された位置情報を受信した通信端末装置１００‐２・通信端末装置１００‐３・通信端末装置１００‐７の制御部１１０‐２・制御部１１０‐３・制御部１１０‐７は、それぞれの表示部である表示部１０７‐２・表示部１０７‐３・表示部１０７‐７に併合された位置情報を地図の形式で表示させる。このときの通信端末装置１００‐１・通信端末装置１００‐２・通信端末装置１００‐３・通信端末装置１００‐７の様子を図８（ｃ）に示す。このとき、それぞれの通信端末装置１００の制御部１１０は、新グループ１に参加している通信端末装置１００のユーザ名と当該通信端末装置の位置を、地図に点を描くことによって表示部１０７に表示させる。このときに表示される地図は、グループ１のときに表示された地図よりも大きな縮尺となる。従ってステップＳ５０８において、目的地に近い通信端末装置のみでグループ通信を行ったため、より詳細な地図を表示することが可能となる。
【００５６】
＜ステップＳ７０８・Ｓ７０９＞  
ステップＳ７０８において、新グループ１によるグループ通信が開始されてから所定時間が経過すると、制御部１１０‐１は、新グループ１とのグループ通信を終了して目的地からより遠い通信端末装置１００とグループ通信を行うことを促す表示を表示部１０７‐１にさせる。このとき、この所定時間は、工場出荷時に予め決められた時間がセットされていてもよいし、表示部１０７‐１からの入力によって記憶部１０８‐１に記憶されるようにしてもよい。このときの通信端末装置１００‐１の様子を図８（ｄ）に示す。このとき、制御部１１０‐１は、新しくグループ通信をはじめるか否かの選択画面を表示部１０７‐１に表示する。また制御部１１０‐１は、新しくグループ通信をはじめる通信端末装置１００のユーザ名も同時に表示部１０７‐１に表示させる。また、制御部１１０‐１は、新しいグループ通信を始めるか否かの選択肢である「はい」「いいえ」も表示部１０７‐１に表示させる。このとき操作部１０３‐１より「はい」の入力を受け付けると、制御部１１０‐１は、新グループ１によるグループ通信を終了させる（ステップＳ７０９）。
【００５７】
＜ステップＳ９０１＞  
図９は、新グループ１においてグループ通信が終了した後の通信端末装置間の情報の送受信を示すシーケンス図である。  
新グループ１においてグループ通信を終了した後、制御部１１０‐１は再びＧＰＳ受信部１０９‐１から自身の位置情報を取得する。そして、制御部１１０‐１は、記憶部１０８‐１に記憶されていた通信端末装置１００‐１の位置情報を更新する。そして同時に制御部１１０‐１は、通信部１０２‐１を経由して、目的地から離れている参加者Ｄ・参加者Ｅ・参加者Ｃが所有する通信端末装置１００‐５・通信端末装置１００‐６・通信端末装置１００‐４にＳＭＳでグループ通信への招待通知（お誘いＳＭＳ）を送信する。
【００５８】
＜ステップＳ９０２＞  
通信端末装置１００‐１より招待通知を受信した通信端末装置１００‐５・通信端末装置１００‐６・通信端末装置１００‐４のそれぞれの制御部である制御部１１０‐５・制御部１１０‐６・制御部１１０‐４は、それぞれの表示部である表示部１０７‐５・表示部１０７‐６・表示部１０７‐４にグループ通信の招待通知を受信したことを表示する。図１０（ａ）は、そのときの通信端末装置１００‐５・通信端末装置１００‐６・通信端末装置１００‐４の様子を示した図である。同時に、制御部１１０‐５・制御部１１０‐６・制御部１１０‐４は、グループ通信に参加するか否かを選択する選択肢「はい」「いいえ」も表示部１０７‐５・表示部１０７‐６・表示部１０７‐４に表示させる。
【００５９】
＜ステップＳ９０３＞  
操作部１０３‐５・操作部１０３‐６・操作部１０３‐４よりグループ通信に参加する入力である「はい」の選択を受け付けると、制御部１１０‐５・制御部１１０‐６・制御部１１０‐４は、それぞれの通信端末装置に備えられたＧＰＳ受信部１０９‐５・ＧＰＳ受信部１０９‐６・ＧＰＳ受信部１０９‐４から自身の位置情報を受信する。そして、制御部１１０‐５・制御部１１０‐６・制御部１１０‐４は、受信した自身の位置情報をそれぞれの記憶部である記憶部１０８‐５・記憶部１０８‐６・記憶部１０８‐４へ記憶させる。
【００６０】
＜ステップＳ９０４＞  
ステップＳ９０３において、自身の端末の位置情報を記憶部１０８‐５・記憶部１０８‐６・記憶部１０８‐４に記憶させた後、制御部１１０‐５・制御部１１０‐６・制御部１１０‐４は、当該位置情報を、招待通知を送信してきた通信端末装置１００‐１に送信してよいか否かを問い合わせる表示を、表示部１０７‐５・表示部１０７‐６・表示部１０７‐４に表示させる。同時に、当該問い合わせに答えるための選択肢「はい」「いいえ」も、制御部１１０‐５・制御部１１０‐６・制御部１１０‐４は、表示部１０７‐５・表示部１０７‐６・表示部１０７‐４に表示させる。図１０（ｂ）は、ステップＳ９０４における通信端末装置１００‐５・通信端末装置１００‐６・通信端末装置１００‐４の様子を示したものである。そして、操作部１０３‐５・操作部１０３‐６・操作部１０３‐４より「はい」を選択・決定する入力を受け付けると、制御部１１０‐５・制御部１１０‐６・制御部１１０‐４は、それぞれの端末の位置情報と、グループ通信参加の承諾の通知をＳＭＳで通信端末装置１００‐１に送信する。
【００６１】
＜ステップＳ９０５・Ｓ９０６＞  
ステップＳ９０４においてグループ通信参加の承諾の通知と位置情報を、通信端末装置１００‐５・通信端末装置１００‐６・通信端末装置１００‐４より受信すると、制御部１１０‐１は、新グループ１に参加していた通信端末装置１００‐２・通信端末装置１００‐３・通信端末装置１００‐７の位置情報と、ステップＳ９０１において更新された通信端末装置１００‐１の位置情報と、ステップＳ９０５において受信した位置情報を併合する。そして、制御部１１０‐１は、当該併合された位置情報を記憶部１０８‐１に記憶する。そして、通信端末装置１００‐１が主催者端末となって、通信端末装置１００‐１・通信端末装置１００‐５・通信端末装置１００‐６・通信端末装置１００‐４の４者でグループ通信が開始される（ステップＳ９０６）。以下、当該４者によるグループ通信のグループを「新グループ２」と記載する。
【００６２】
＜ステップＳ９０７＞  
ステップＳ９０６において開始された通信端末装置１００‐１・通信端末装置１００‐５・通信端末装置１００‐６・通信端末装置１００‐４の４者による新グループ２においてグループ通信が行われているときに、操作部１０３‐１から位置情報を通信端末装置１００‐５・通信端末装置１００‐６・通信端末装置１００‐４に送る入力を受け付けると、制御部１１０‐１は、通信端末装置１００‐５・通信端末装置１００‐６・通信端末装置１００‐４にステップＳ９０５において併合した位置情報を、通信部１０２‐１に送信させる。このとき、当該併合された位置情報は、通信サーバ２００を経由して、通信端末装置１００‐５・通信端末装置１００‐６・通信端末装置１００‐４に送信される。そして、制御部１１０‐１は、併合した位置情報を送信すると同時に表示部１０７‐１に地図の形式で併合された位置情報を表示させる。また、併合された位置情報を受信した通信端末装置１００‐５・通信端末装置１００‐６・通信端末装置１００‐４の制御部１１０‐５・制御部１１０‐６・制御部１１０‐４は、それぞれの表示部である表示部１０７‐５・表示部１０７‐６・表示部１０７‐４に併合された位置情報を地図の形式で表示させる。このときの通信端末装置１００‐１・通信端末装置１００‐５・通信端末装置１００‐６・通信端末装置１００‐４の様子を図１０（ｃ）に示す。このとき、それぞれの通信端末装置１００の制御部１１０は、新グループ２に参加している通信端末装置１００のユーザ名と当該通信端末装置の位置だけでなく、新グループ１に参加していた端末の位置情報をも、地図に点を描くことによって表示部１０７に表示させる。
【００６３】
＜ステップＳ９０８＞  
制御部１１０‐１は、通信端末装置１００‐２〜通信端末装置１００‐７の位置情報を併合した結果から、どの通信端末装置１００が目的地に近いかを再び計算する。本実施形態においては、図１０（ｃ）に示すとおり、ユーザＡ・ユーザＢ・ユーザＦが他の通信端末装置１００（主催者端末通信端末装置１００‐１を除く）より近いこととする。つまり新グループ１・新グループ２のグループ分けを行ったときと目的地との距離の近さは変わってないこととする。
【００６４】
＜ステップＳ９０９・Ｓ９１０＞  
ステップＳ９０６において、新グループ２によるグループ通信が開始されてから所定時間が経過すると、制御部１１０‐１は、新グループ２とのグループ通信を終了して、ステップＳ５０８において決定した「新グループ１」（通信端末装置１００‐１・通信端末装置１００‐２・通信端末装置１００‐３・通信端末装置１００‐７）とグループ通信を行うことを促す表示を表示部１０７‐１にさせる。このとき、この所定時間は、工場出荷時に予め決められた時間がセットされていてもよいし、表示部１０７‐１からの入力によって記憶部１０８‐１に記憶されるようにしてもよい。このときの通信端末装置１００‐１の様子を図１０（ｄ）に示す。このとき、制御部１１０‐１は、新しくグループ通信をはじめるか否かの選択画面を表示部１０７‐１に表示する。また制御部１１０‐１は、新しくグループ通信をはじめる通信端末装置１００のユーザ名も同時に表示部１０７‐１に表示させる。また、制御部１１０‐１は、新しいグループ通信を始めるか否かの選択肢である「はい」「いいえ」も表示部１０７‐１に表示させる。このとき操作部１０３‐１より「はい」の入力を受け付けると、制御部１１０‐１は、新グループ２によるグループ通信を終了させる（ステップＳ９１０）。
【００６５】
＜ステップＳ１１０１〜Ｓ１１０５＞  
図１１は、図９において説明したシーケンス図の続きである。ステップＳ１１０１からステップＳ１１０５までの手順は、ステップＳ７０１からステップＳ７０５までの手順とまったく同様のため説明を割愛する。
【００６６】
＜ステップＳ１１０６＞  
本実施形態において、制御部１１０‐１は、ステップＳ１１０４において通信端末装置１００‐２・通信端末装置１００‐３・通信端末装置１００‐７の位置情報を受信した際、Ａと目的地との距離が所定の値より小さくなっていることを認識したとする。
【００６７】
＜ステップＳ１１０７＞  
ステップＳ１１０６において、Ａと目的地が近づいたことを認識した後、通信端末装置１００‐１は、通信端末装置１００‐２・通信端末装置１００‐３・通信端末装置１００‐７とグループ通信を開始する。
【００６８】
＜ステップＳ１１０８＞  
ステップＳ１１０７においてグループ通信を開始した後、操作部１０３‐１からの該当する入力を受け付けることによって、制御部１１０‐１は、通信端末装置１００‐２・通信端末装置１００‐３・通信端末装置１００‐７に併合された位置情報を送信する。当該併合された位置情報を受信することにより、制御部１１０‐３・制御部１１０‐７は、表示部１０７‐３・表示部１０７‐７に併合された情報を地図形式で表示させる。しかし、通信端末装置１００‐２（ユーザ名Ａ）に関しては、動作が通信端末装置１００‐３・通信端末装置１００‐７と違う。通信端末装置１００‐２の制御部１１０‐２は、位置情報を受信すると、自身の通信端末装置１００‐２が目的地に近づいたことを示す表示を表示部１０７‐２に行わせる。また、同時に、制御部１１０‐２は、通信端末装置１００‐２が目的地に近づいたために切断するか否かを問い合わせる内容も表示部１０７‐２に表示させる。このときの様子を示したものが図１２（ａ）である。制御部１１０‐２は、さらに上記問い合わせの選択肢である「はい」「いいえ」も表示部１０７‐２に表示させる。そして、操作部１０３‐２より、「はい」の選択を受け付けると、制御部１１０‐２は、新グループ１を離脱する旨を通信端末装置１００‐１へ送信する。
【００６９】
＜ステップＳ１１０９＞  
制御部１１０‐２は、新グループ１のグループ通信を離脱する。
【００７０】
＜ステップＳ１１１０＞  
ステップＳ１１０８において、通信端末装置１００‐２が新グループ１を離脱したために、新グループ１においてグループ通信を行うことが可能な端末数が１つ増える。従って、通信端末装置１００‐３・通信端末装置１００‐７の次に目的地に近い通信端末装置を新グループ１のグループ通信に追加で参加させることが可能である。ステップＳ１１１０において、制御部１１０‐１は、通信端末装置１００‐２・通信端末装置１００‐３の次に目的地に近い端末を、ステップＳ１１０５において併合した位置情報から算出する。そして、制御部１１０‐１は、該当する端末（本実施形態における通信端末装置１００‐４（ユーザ名Ｃ））に新グループ１へ招待通知を送るか否かの表示を表示部１０７‐１にさせる。図１２（ｂ）は、このときの様子を示した図である。このとき、制御部１１０‐１は、操作部１０３‐１より「はい」を選択・決定する入力を受け付けると、通信端末装置１００‐４へ招待通知をＳＭＳで送信する。
【００７１】
通信端末装置１００‐４の制御部１１０‐４は、通信端末装置１００‐１より招待通知を受け取ると、招待通知を承諾するか否かを問う表示を表示部１０７‐４にさせる。このとき制御部１１０‐４は、承諾する選択肢である「はい」「いいえ」も表示部１０７‐４に表示させる。その後、制御部１１０‐４は、操作部１０３‐４より「はい」を選択・決定する入力を受け付けると、新グループ１の招待を承諾する。図１２（ｃ）は、お誘いＳＭＳを受信したときの、通信端末装置１００‐４の様子を示した図である。
【００７２】
さらに、今まで述べてきた内容と同様に、制御部１１０‐４は、自身の位置情報を通信端末装置１００‐１へ送信するか否かを問う表示を表示部１０７‐４へ表示させる。図１２（ｄ）は、このときの通信端末装置１００‐４の様子を示した図である。このとき、「はい」の選択を操作部１０３‐４より受け付けると、制御部１１０‐４は、グループ通信の承諾通知と位置情報を通信端末装置１００‐１へ送信する。
【００７３】
＜ステップＳ１１１１＞  
制御部１１０‐１は、通信端末装置１００‐４から招待の承諾通知と位置情報を受け取ると、通信端末装置１００‐４の位置情報を更新して記憶部１０８‐１に記憶させる。
【００７４】
＜ステップＳ１１１２＞  
次に、制御部１１０‐１は該当する入力を操作部１０３‐１より受け付けると、通信端末装置１００‐３・通信端末装置１００‐４・通信端末装置１００‐７に対して位置情報を通信サーバ２００を経由して送信する。そして、制御部１１０‐１は、表示部１０７‐１に、通信端末装置１００‐１・通信端末装置１００‐３・通信端末装置１００‐４・通信端末装置１００‐７の位置情報と目的地が示された地図を表示部１０７‐１へ表示する。また、前記位置情報を通信端末装置１００‐１より受け取った、通信端末装置１００‐３・通信端末装置１００‐４・通信端末装置１００‐７の制御部である制御部１１０‐３・制御部１１０‐４・制御部１１０‐７も、それぞれの表示部である表示部１０７‐３・表示部１０７‐４・表示部１０７‐７へ位置情報を表示させる。図１２（ｅ）は、このときの通信端末装置１００‐１・通信端末装置１００‐３・通信端末装置１００‐４・通信端末装置１００‐７の様子を示したものである。
【００７５】
このように、目的地に近い通信端末装置同士でグループ通信が行えるようにすることによって、各ユーザに最適な縮尺での地図で位置情報を提供することが可能である。
【００７６】
また、図１３はグループ通信を行う前の通信端末装置１００‐１の様子を示したものである。制御部１１０‐１は、該当する入力を操作部１０３‐１より受け付けると図１３（ａ）に示されるように表示部１０７‐１に目的地を設定するか否かを問う表示を行わせる。そして「はい」を選択・決定する入力を操作部１０３‐１より受け付けると、図１３（ｂ）に示すように、制御部１１０‐１は、地図と当該地図の縮尺を変更できるバーとを表示部１０７‐１へ表示させる。また、位置を示す十字の形状をしたカーソルも、制御部１１０‐１は表示部１０７‐１へ表示させる。操作部１０３‐１が備える４方向を選択することが可能な選択キーからの入力によって、制御部１１０‐１は、表示部１０７‐１に表示される前記カーソルキーを移動させる。また、制御部１１０‐１は、例えば操作部１０３‐１に備えられている「２」キーの押下を受け付けると地図を広域表示し、「８」キーの押下を受け付けると地図を詳細にして、表示部１０７‐１へ表示させる。
【００７７】
そして、最後に操作部１０３‐１に備えられた決定キーの押下を受け付けることによって、制御部１１０‐１は、カーソルキーの示している位置を目的地として記憶部１０８‐１へ記憶させる。図１３（ｃ）は、目的地が設定されたときの通信端末装置１００‐１の様子を示した図である。
【００７８】
このようにして、グループ通信の主催者となりたいユーザは、目的地を自由に設定することが出来るので、待ち合わせ等に本発明を用いる際の利便性をよくすることが可能である。
【００７９】
なお、本発明は通信端末装置の一例として携帯電話を例にとって説明を行った。しかし、携帯電話のほかにＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）などの通信端末装置や、パーソナルコンピュータなど、インターネットを用いて他の通信端末装置と双方向通信が可能で持ち運び可能な電子機器であれば、本発明は適用可能である。
【図面の簡単な説明】
【００８０】
【図１】本発明に係る通信端末装置の実施形態に使用される通信システムの構成の一例を示す図である。
【図２】通信端末装置１００‐ｉの主要な構成部をブロック図で表したものである。
【図３】グループ通信が行われる様子を示したシーケンス図である。
【図４】図３における個々の状況における通信端末装置の様子を示した図である。
【図５】グループ通信が行われる様子を示したシーケンス図である。
【図６】図５における個々の状況における通信端末装置の様子を示した図である。
【図７】グループ通信が行われる様子を示したシーケンス図である。
【図８】図７における個々の状況における通信端末装置の様子を示した図である。
【図９】グループ通信が行われる様子を示したシーケンス図である。
【図１０】図９における個々の状況における通信端末装置の様子を示した図である。
【図１１】グループ通信が行われる様子を示したシーケンス図である。
【図１２】図１１における個々の状況における通信端末装置の様子を示した図である。
【図１３】グループ通信が始まる前に、通信端末装置において目的地を設定する様子を示した図である。
【符号の説明】
【００８１】
１００，１００‐１〜１００‐７…通信端末装置、１０２…通信部、１０３…操作部、１０４…音声処理部、１０５…スピーカ、１０６…マイク、１０７…表示部、１０８…記憶部、１０９…ＧＰＳ受信部１０９、１１０…制御部、２００…通信サーバ、３００…インターネット、４００…位置通知装置
【図１】
0005036453.tif 000002
【図２】
0005036453.tif 000003
【図３】
0005036453.tif 000004
【図４】
0005036453.tif 000005
【図５】
0005036453.tif 000006
【図６】
0005036453.tif 000007
【図７】
0005036453.tif 000008
【図８】
0005036453.tif 000009
【図９】
0005036453.tif 000010
【図１０】
0005036453.tif 000011
【図１１】
0005036453.tif 000012
【図１２】
0005036453.tif 000013
【図１３】
0005036453.tif 000014